(57)【特許請求の範囲】
【請求項１】
商品に貼り付けて価格変更表示を行うための価格変更用ラベルであって、
表面に、少なくとも価格変更情報がバーコードで表示されるバーコード部、および広告兼価格変更情報がヒューマン文字で表示されるヒューマン文字部が形成されるとともに、バーコード部とヒューマン文字部とがミシン目により分離可能とされた価格変更表示部を有するラベル本体と、
このラベル本体の裏面に形成された透明な疑似接着剤層と、
この疑似接着剤層の下層に形成された接着剤層と、
更に、この接着剤層を介して前記ラベル本体を仮着せしめる台紙と、から成り、
前記商品に備えられた表示価格を含む価格関連情報の少なくとも一部を前記台紙から剥離したラベル本体で覆うようにしたことを特徴とする価格変更用ラベル。
【請求項２】
表面に、少なくとも価格変更情報がバーコードで表示されるバーコード部、および広告兼価格変更情報がヒューマン文字で表示されるヒューマン文字部が形成されるとともに、バーコード部とヒューマン文字部とがミシン目により分離可能とされた価格変更表示部を有するラベル本体と、
このラベル本体の裏面に形成された透明な疑似接着剤層と、
この擬似接着層の下層に形成された接着剤層と、
更に、この接着剤層を介して前記ラベル本体を仮着せしめる台紙と、から成る価格変更用ラベルを商品に貼り付けて価格変更表示を行うための価格変更用ラベルの貼付方法であって、
前記擬似接着層を前記ラベル本体側に、また、接着剤層を台紙側に、おのおの残した状態で前記台紙よりラベル本体を剥離し、
かつ、前記疑似接着剤層を介しラベル本体によって商品の変更前の表示価格を含む価格関連情報の一部を覆うように貼り付け、
さらに、前記ラベル本体を剥離すると疑似接着剤層が商品側に残されることを特徴とする価格変更用ラベルの貼付方法。
【発明の詳細な説明】
【０００１】
【発明の属する技術分野】
本発明は、価格変更用ラベル及びその貼付方法にかかるもので、特に、商品にすでに印刷あるいは貼り付けられている表示価格ないし価格関連情報の変更（特に値引き）を表示するための価格変更用ラベル及びその貼付方法に関するものである。
【０００２】
【従来の技術】
従来から小売り店などにおいて、商品の価格関連情報の変更（特に、値引き）を行うために価格変更用ラベルを用いる場合がある。
図１０および図１１に基づき概説する。
【０００３】
図１０は、図示しない商品に予め貼り付けられている商品ラベル２を示す平面図であって、一例として食品の内容量などを表示する、いわゆる「食品ラベル」と称する商品ラベル２を例にとって説明する。
【０００４】
商品ラベル２には、品名２ａ、消費期限２ｂ、加工日２ｃ、単価２ｄ、内容量２ｅ、販売価格２ｆ、加工者２ｇ、販売店２ｈ、加工者住所２ｉ、および商品コードなどを含むバーコード２ｊ等の食品の表示に必要な関連情報が印字されている。
なお、以前および以後において、商品コードなどのバーコード２ｊあるいは販売価格２ｆなどを含め、「価格関連情報」と総称する。
前記の商品ラベル２は、図示しない商品に貼り付けられた状態で店頭に並べれられる。
【０００５】
ところで、商品（図示せず）に貼られた商品ラベル２の価格は、変更されることがある。特に、食品にあってはその鮮度の関係から、消費期限が近づいた商品や夕方の買い物時間のピークが過ぎた時点での売れ残り品の価格変更（値引き）が行われており、価格変更用ラベル４を対象商品に貼り付けることにより値引きである旨を消費者に知らしめている。
【０００６】
図１１は価格変更（値引き）を行った商品を示すものであって、前記商品ラベル２に重ねて価格変更用ラベル（値下げラベル）４が貼られている。
価格変更用ラベル４には、値下げ価格４ａおよび商品コードなどを含むバーコード４ｂ、４ｃが印字されており、レジの係員が読み間違えしないよう価格変更前の前述商品ラベル２に一部重ねて貼り付けられている。
なお、価格変更用ラベル４には、任意の形状のタンパーカット６（不正貼替え防止用カット）を形成して、値引きの対象とはなっていない商品への価格変更用ラベル４の不正貼替えを防止可能としている。
【０００７】
しかしながら、図１１に示すように、価格変更用ラベル４が貼付けられた商品にあっては、変更前の価格（値下げ前価格）２ｆや内容量２ｅ及び値下げ価格４ａなどの確認はできるものの、消費期限２ｂや加工日２ｃといった他の価格関連情報がみえなくなることがあった。
特に、価格変更用ラベル４は、前述したように対象商品以外への不正貼替え防止のためタンパーカット６が形成されており、商品から剥がすと一部は剥がれるものの、途中で破れて大半が商品ラベル２に重なったまま残されるようになっているため、重なった部分の価格関連情報が確認できなくなるという問題があった。
【発明が解決しようとする課題】
【０００８】
本発明は、上記問題点に着目してなされたものであり、簡単な構造で変更前の価格関連情報が確認できるようにした価格変更用ラベル及びその貼付方法を提供することを課題とする。
【０００９】
【課題を解決するための手段】
すなわち本発明は、価格変更用ラベルを透明な、いわゆる擬似接着剤層を用いて作成すること、従って、重ねて貼り付けたとしても剥がして価格変更前の価格関連情報が確認できることに着目したもので、第1の発明は、商品に貼り付けて価格変更表示を行うための価格変更用ラベルであって、表面に、少なくとも価格変更情報がバーコードで表示されるバーコード部、および広告兼価格変更情報がヒューマン文字で表示されるヒューマン文字部が形成されるとともに、バーコード部とヒューマン文字部とがミシン目により分離可能とされた価格変更表示部を有するラベル本体と、このラベル本体の裏面に形成された透明な疑似接着剤層と、この疑似接着剤層の下層に形成された接着剤層と、更に、この接着剤層を介して上記ラベル本体を仮着せしめる台紙と、から成り、上記商品に備えられた表示価格を含む価格関連情報の少なくとも一部を前記台紙から剥離したラベル本体で覆うようにしたことを特徴とする価格変更用ラベルである。
第２の発明は、表面に、少なくとも価格変更情報がバーコードで表示されるバーコード部、および広告兼価格変更情報がヒューマン文字で表示されるヒューマン文字部が形成されるとともに、バーコード部とヒューマン文字部とがミシン目により分離可能とされた価格変更表示部を有するラベル本体と、このラベル本体の裏面に形成された透明な疑似接着剤層と、この擬似接着層の下層に形成された接着剤層と、更に、この接着剤層を介して上記ラベル本体を仮着せしめる台紙と、から成る価格変更用ラベルを商品に貼り付けて価格変更表示を行うための価格変更用ラベルの貼付方法であって、上記擬似接着層を上記ラベル本体側に、また、接着剤層を台紙側に、おのおの残した状態で上記台紙よりラベル本体を剥離し、かつ、上記疑似接着剤層を介しラベル本体によって商品の変更前の表示価格を含む価格関連情報の一部を覆うように貼り付け、さらに、上記ラベル本体を剥離すると疑似接着剤層が商品側に残されることを特徴とする価格変更用ラベルの貼付方法である。
【００１０】
本発明による価格変更用ラベル及びその貼付方法においては、ラベル本体の裏面に形成された透明な疑似接着剤層にて、商品に備えられた変更前の価格関連情報を台紙から剥離したラベル本体で覆うようにしたので、重ねて貼り付けたとしても剥がして価格変更前の価格関連情報を確認することができる。
【００１１】
【発明の実施の形態】
以下、本発明の好適な一実施の形態を、図１ないし図４を参照して説明する。
なお、従来と同一の構成には同一の符号を付すに止め、その詳説を省略する。
【００１２】
図１は、価格変更用ラベル１２の概略斜視図、図２は、図１のＩＩ−ＩＩ線断面図であって、価格変更用ラベル１２は、紙材などによるラベル本体１４と、ラベル本体１４の裏面側全面に形成された透明な疑似接着剤層１６とを有し、この価格変更用ラベル１２は、接着剤層１８を介して台紙２０に仮着されている。
なお、価格変更用ラベル１２は、図１に示すように、帯状の台紙２０に複数枚連続した状態で供給することができる。
【００１３】
ラベル本体１４の表面側には、人が読み取れるヒューマン文字で表現された変更価格（値下げ価格）１４ａなどの価格変更表示および商品コードなどを含む「価格関連情報」を示すバーコード１４ｂ、１４ｃが印字される、「価格変更表示部」となってている。
【００１４】
一方、裏面側に形成された疑似接着剤層１６は透明な材質にて作製され、接着剤層１８を介して台紙２０に仮着されており、ラベル本体１４をつまんで台紙２０から剥がすと、疑似接着剤層１６と接着剤層１８との粘着力の違いから疑似接着剤層１６と接着剤層１８との間の剥離性はよく、かつ、疑似接着剤層１６はラベル本体１４側に、また、接着剤層１８は台紙２０側に、おのおの残った状態でスムーズに剥離されるようになっている。
【００１５】
また、疑似接着剤層１６は、台紙２０から、具体的には粘着剤層１８からの剥離性はスムーズであると共に、剥離しても接着力が残存するように構成されている。そして、商品（図示せず）あるいは商品に予め貼り付けられている商品ラベル（図１０参照）への貼着が可能であり、かつ、一旦貼り付けたあとは、剥がすと同層１６はラベル本体１４側から剥がれて商品あるいは商品ラベル２側に残されるようになっている。
【００１６】
このような構成の価格変更用ラベル１２を台紙２０から剥離して、商品に貼り付け、価格変更表示（値下げ表示）を行う。
すなわち、図３は、図示しない商品に予め貼り付けてある商品ラベル２に価格変更用ラベル（値下げラベル）１２を貼付した状態の平面図であって、変更前の価格２ｆや内容量３ｅを覆わない位置に、価格変更用ラベル１２を商品ラベル２の一部に重ねた状態で貼り付ける。
【００１７】
すなわち、消費者は、変更前の価格２ｆや内容量２ｅと、価格変更用ラベル１２の価格（変更後の価格）１４ａの両方を見て買うか否かの判断ができ、買う場合はこれをレジに運べば良い。
レジでは既知のスキャナーなどにより、価格変更用ラベル１２のバーコード１４ｂ、１４ｃの自動読み込みが可能である。
【００１８】
また、図４は、商品ラベル２から価格変更用ラベル１２を剥がした状態を示す平面図であって、ラベル本体１４と疑似接着剤層１６から成る価格変更用ラベル１２からラベル本体１４のみが剥離され、貼付されていたあとに疑似接着剤層１６が残される
【００１９】
しかしながら、疑似接着剤層１６が透明な材質で作成されているため、たとえ商品あるいは商品ラベル２側に重なって残されたとしても同層１６を通して、商品ラベル２の変更前の消費期限２ｂや加工日２ｃなどの価格関連情報が確認できるものである。
【００２０】
また、剥がされたラベル本体１４には、変更後の価格１４ａおよびその価格変更情報のバーコード１４ｂ、１４ｃなどの値下げ情報が表示されているが、疑似接着剤層１６が商品ラベル２に残った状態で、ラベル本体１４のみが剥離されるため、他の商品への再貼付は不可能である。
【００２１】
図５は、第二の実施の形態として示した価格変更用ラベルの平面図である。
なお、従来と同様の部分は同一符号を付すに止め、重複説明を省略する。
【００２２】
価格変更用ラベル２２は、ヒューマン文字部２４と、バーコード部２６とから構成される。
ヒューマン文字部２４は、店員や消費者が見て確認できるような文字で表現されると共に、消費者にアピールするための広告兼価格変更情報が表示されており、本実施の形態の場合は「表示価格より２０％引き」と表示されている。
また、バーコード部２６は、価格変更表示および商品コードなどを含む「価格関連情報」のバーコード２６ａ、２６ｂが表示されている。
このような価格変更用ラベル２２を商品に予め貼り付けられている商品ラベル２に貼付すると、価格変更表示としての割引率（２０％引き）が大きく表示されているため、消費者へのアピール度が大きいものである。
【００２３】
なお、バーコード２６ａ、２６ｂとしては、商品コードのほか、例えば、変更前価格と変更後価格を含む「価格関連情報」の採用が可能であり、変更前後の価格を価格変更用ラベル２２に表示することによりレジにおけるＰＯＳシステムへの情報が増すものである。
他の構成、作用、効果については、先の実施の形態とほぼ同様につき、重複説明を省略する。
【００２４】
図６ないし図９に基づき、価格変更用ラベルの第三の実施の形態を説明する。
なお、従来と同様の部分は同一符号を付すに止め、重複説明を省略する。
【００２５】
図6に示すように価格変更用ラベル３２は、「２割引き」という広告兼価格変更情報が表示されるヒューマン文字部３４と、価格変更表示および商品コードなどを含む「価格関連情報」のバーコード３６ｂ、３６ｃが表示されているバーコード部３６とから構成される。また、バーコード部３６には、文字で表現された変更価格（値引き後価格）３６ａも表示されている。
【００２６】
ヒューマン文字部３４とバーコード部３６との間には、台紙２０に達するミシン目３８が形成されており、ミシン目３８に沿って力を加えると、ヒューマン文字部３４とバーコード部３６とが分離されるようになっている。
【００２７】
図７は、価格変更用ラベル３２を商品ラベル２に貼着した状態を示す平面図、また、図8は、図7のＶＩＩＩ−ＶＩＩＩ線断面図である。
【００２８】
価格変更用ラベル３２を商品ラベル２に貼り付ける際、ミシン目３８が商品ラベル２の左側端４０近辺に位置するよう貼付する。
【００２９】
図８の断面図に示すように、価格変更用ラベル３２は、ラベル本体４２と、このラベル本体４２の裏面に形成された疑似接着剤層４４とから構成されており、前述したようにミシン目３８に沿って力を加えバーコード部３６側を剥離すると、ヒューマン文字部３４側のラベル本体４２ａと、バーコード表示部３６側のラベル本体４２ｂとに分離され、かつ、剥離したバーコード表示部３６側は、疑似接着剤層４４が商品ラベル２上に残る（図８、図９参照）。
しかしながら、疑似接着剤層４４が透明な材質で形成されているため、同層４４を通して商品ラベル２の変更前の消費期限２ｂや加工日２ｃなどの価格関連情報が確認できると共に、貼り残されたヒューマン文字部３４の価格変更情報（値引き情報）により値引率が確認できるため、消費者へのサービス向上となるものである。
【００３０】
なお、説明の都合上、ラベル本体４２の裏面全体に疑似接着剤層４４が形成されている例で説明したが、これに限定されないことは勿論であり、剥離しないヒューマン文字部３４側のラベル本体４２ａの裏面には、剥がれにくいよう強粘着の接着剤層で形成するようにしてもよい。ヒューマン文字部３４側のラベル本体４２ａを強粘着の接着剤層とし、バーコード表示部３６側のラベル本体４２ｂを疑似接着剤層４４で形成することにより、バーコード表示部３６側を剥離すべくミシン目３８に沿って力を加えた場合、剥離性が向上するものである。
【００３１】
他の構成、作用、効果については、先の実施の形態とほぼ同様につき、重複説明を省略する。
【００３２】
【発明の効果】
以上説明したように、本発明によれば、商品に備えられた表示価格を疑似接着剤層が形成されたラベル本体で覆うようにするため、価格変更表示が容易に行えるものである。
【００３３】
請求項２によれば、価格変更表示がバーコードあるいはヒューマン文字で形成されるので、消費者はヒューマン文字を目で確認することにより価格変更（値下げ）を確認でき、また、バーコードも併用されているため、スキャナなどによる読取り処理も容易に行えるものである。
【００３４】
請求項３によればヒューマン文字部とバーコード部とがミシン目により分離可能なため、目で確認できるヒューマン文字部のみを商品側に表示として残しておくことが可能である。
【００３５】
請求項４の発明によれば、疑似接着剤層を介してラベル本体にて商品の変更前の価格表示を覆うことができるようにしたので、価格変更表示が容易にできると共に、変更後の価格が容易に読み取れるものであり、更に、ラベル本体を剥離すると疑似接着剤層が商品側に残るようにしたため、剥離されたラベル本体の対象外の商品への再貼付を防止でき、しかも、商品に残された疑似接着剤層は透明であるため、変更前の価格関連情報に重なっていたとしても、視認できるものである。
【００３６】
請求項５によれば、広告兼価格変更情報がヒューマン文字で表示されるヒューマン文字部とバーコード表示部とがミシン目により分離可能としたので、ヒューマン文字部を商品側に残すように分離することも、変更された価格情報を残すことも可能である。
【図面の簡単な説明】
【図１】本発明に係る価格変更用ラベルの概略斜視図である。
【図２】図１のＩＩ−ＩＩ線に沿う断面図である。
【図３】本発明に係る価格変更用ラベルを商品ラベルに貼付した状態を示す平面図である。
【図４】商品ラベルから価格変更用ラベルを剥がした状態を示す平面図である。
【図５】第二の実施の形態に係る価格変更用ラベルの平面図である。
【図６】第三の実施の形態に係る価格変更用ラベルの平面図である。
【図７】同、価格変更用ラベルを商品ラベルに貼付した状態を示す平面図である。
【図８】図７のＶＩＩＩ−ＶＩＩＩ線に沿う断面図である。
【図９】商品ラベルから価格変更用ラベルを剥がした状態を示す平面図である。
【図１０】従来の商品ラベルを示す平面図である。
【図１１】従来の価格変更用ラベルを商品ラベルに貼付した状態を示す平面図である。
【符号の説明】
２  商品ラベル
２ａ  品名
２ｂ  消費期限
２ｃ  加工日
２ｄ  単価
２ｅ  内容量
２ｆ  販売価格
２ｇ  加工
２ｈ  販売店
２ｉ  加工者住所
２ｊ  バーコード
４  価格変更用ラベル（従来）
４ａ  変更価格（値下げ価格）
４ｂ  バーコード
４ｃ  バーコード
６  タンパーカット（不正貼替え用カット）
１２  価格変更用ラベル（第一の実施の形態）
１４  ラベル本体
１６  疑似接着剤層
１８  接着剤層
２０  台紙
２２  価格変更用ラベル（第二の実施の形態）
２４  ヒューマン文字部
２６  バーコード部
２６ａ  バーコード
２６ｂ  バーコード
３２  価格変更用ラベル（第三の実施の形態）
３４  ヒューマン文字部
３６  バーコード部
３６ａ  変更価格
３６ｂ  バーコード
３６ｃ  バーコード
３８  ミシン目
４０  商品ラベル２の左側端
４２  ラベル本体
４２ａ  ヒューマン文字部３４側のラベル本体
４２ｂ  バーコード部３６側のラベル本体
４４  疑似接着剤層
【図１】
0004666549.tif 000002
【図２】
0004666549.tif 000003
【図３】
0004666549.tif 000004
【図４】
0004666549.tif 000005
【図５】
0004666549.tif 000006
【図６】
0004666549.tif 000007
【図７】
0004666549.tif 000008
【図８】
0004666549.tif 000009
【図９】
0004666549.tif 000010
【図１０】
0004666549.tif 000011
【図１１】
0004666549.tif 000012